(57)【特許請求の範囲】
【請求項１】
左目イメージと右目イメージを表示し、縁に表示パネル側アライメントマークが形成された表示パネルと、
前記左目イメージの光を第１偏光に変換し、前記右目イメージの光を第２偏光に変換するリターダが透明基板の上に形成される３Ｄフィルタと、
前記３Ｄフィルタの縁で前記３Ｄフィルタの透明基板に形成されるリターダパターン、及び前記リターダパターンの上に形成される反射板を含む多数の３Ｄフィルタ側アライメントマークと、
前記表示パネル側アライメントマークと前記３Ｄフィルタ側アライメントマークの各々を撮影するビジョンシステムと、
を備えることを特徴とする立体映像表示装置の整列システム。
【請求項２】
前記ビジョンシステムは、前記表示パネルの非駆動状態で駆動されることを特徴とする請求項１に記載の立体映像表示装置の整列システム。
【請求項３】
前記ビジョンシステムは、
前記表示パネルの基板を通じて前記表示パネル側アライメントマークを眺める多数の表示パネル側イメージキャプチャー素子と、
前記３Ｄフィルタの透明基板を通じて前記３Ｄフィルタ側アライメントマークを眺める多数の３Ｄフィルタ側イメージキャプチャー素子と、
前記３Ｄフィルタの透明基板と前記３Ｄフィルタ側イメージキャプチャー素子との間に配置されて線偏光を通過させる偏光フィルムと、
前記偏光フィルムと前記３Ｄフィルタの透明基板との間に形成される第２リターダと、
を備えることを特徴とする請求項１に記載の立体映像表示装置の整列システム。
【請求項４】
前記リターダと前記リターダパターンの各々はλ（波長）／４の位相遅延値を有し、かつ透明であることを特徴とする請求項３に記載の立体映像表示装置の整列システム。
【請求項５】
前記リターダと前記リターダパターンは、同一の複屈折媒質を含むことを特徴とする請求項３に記載の立体映像表示装置の整列システム。
【請求項６】
前記リターダパターンは、
λ（波長）／４の位相遅延値を有する第１リターダパターンと、
前記λ／４の位相遅延値を有し、前記第１リターダパターンの光軸と直交する光軸を有する第２リターダパターンと、
を含むことを特徴とする請求項１に記載の立体映像表示装置の整列システム。
【請求項７】
前記３Ｄフィルタの透明基板を通じて前記３Ｄフィルタ側アライメントマーク側に光を照射する光源をさらに備えることを特徴とする請求項１に記載の立体映像表示装置の整列システム。
【請求項８】
左目イメージと右目イメージを表示する表示パネルの縁に多数の表示パネル側アライメントマークを形成するステップと、
透明基板と、前記透明基板に形成されたリターダを含んで前記左目イメージの光を第１偏光に変換し、前記右目イメージの光を第２偏光に変換する多数の３Ｄフィルタの縁にリターダパターンと反射板が積層された多数の３Ｄフィルタ側アライメントマークを形成するステップと、
前記表示パネル側アライメントマークと前記３Ｄフィルタ側アライメントマークの各々を撮影するステップと、
を含むことを特徴とする立体映像表示装置の整列方法。
【請求項９】
前記表示パネル側アライメントマークと前記３Ｄフィルタ側アライメントマークの各々を撮影するステップは、前記表示パネルの非駆動状態で行われることを特徴とする請求項８に記載の立体映像表示装置の整列方法。
【請求項１０】
前記３Ｄフィルタの透明基板を通じて前記３Ｄフィルタ側アライメントマーク側に光を照射するステップをさらに含むことを特徴とする請求項８に記載の立体映像表示装置の整列方法。
【請求項１１】
左目イメージと右目イメージを表示して縁に多数の表示パネル側アライメントマークが形成された表示パネルと、
前記左目イメージの光を第１偏光に変換し、前記右目イメージの光を第２偏光に変換するリターダが透明基板の上に形成される３Ｄフィルタと、
前記３Ｄフィルタの縁で前記３Ｄフィルタの透明基板上に形成されるリターダパターン、及び前記リターダパターンの上に形成される反射板を含む多数の３Ｄフィルタ側アライメントマークを含むことを特徴とする立体映像表示装置。
【請求項１２】
前記リターダと前記リターダパターンの各々はλ（波長）／４の位相遅延値を有し、かつ透明であることを特徴とする請求項１１に記載の立体映像表示装置。
【請求項１３】
前記リターダと前記リターダパターンは、同一の複屈折媒質を含むことを特徴とする請求項１１に記載の立体映像表示装置。
【請求項１４】
前記リターダパターンは、
λ（波長）／４の位相遅延値を有する第１リターダパターンと、
前記λ／４の位相遅延値を有し、前記第１リターダパターンの光軸と直交する光軸を有する第２リターダパターンと、
を含むことを特徴とする請求項１１に記載の立体映像表示装置。
【請求項１５】
前記多数の３Ｄフィルタ側アライメントマークは前記表示パネルと対向する前記３Ｄフィルタの透明基板の面に形成されることを特徴とする請求項１１に記載の立体映像表示装置。
【請求項１６】
前記多数の表示パネル側アライメントマークと前記多数の３Ｄフィルタ側アライメントマークは重畳され、互いに見合わせる位置に形成されることを特徴とする請求項１１に記載の立体映像表示装置。
【発明の詳細な説明】
【技術分野】
【０００１】
本発明は、立体映像表示装置、及びその立体映像表示装置の整列システム及び方法に関するものである。
【背景技術】
【０００２】
立体映像表示装置は人為的に立体画面を再生させることができるシステムであって、立体映像で示すことができるソフトウェア技術とそのソフトウェア技術により作ったコンテンツを実際に立体映像として具現するハードウェアを含む。
【０００３】
立体映像表示装置は、観察者が眼鏡を着用する必要があるか否かによって眼鏡方式（Stereoscopic Display）と無眼鏡方式（Autostereoscopic Display）とに分けられる。
【０００４】
眼鏡方式は、表示装置の主流が陰極線管（Cathod ray tube：ＣＲＴ）から平板表示素子（Flat Panel Display）側に移動するにつれて、平板表示素子に最適化された方向に技術開発がなされている。眼鏡方式としては偏光方式が代表的である。偏光方式は、光軸が直交する偏光素子を左目と右目とに分離して右目映像の偏光光が左目偏光素子で遮断されるようにし、左目映像の偏光光が右目偏光素子で遮断されるようにする。偏光方式は眼鏡が必要で、かつ光損失が多いというなどの短所があるが、視界角を広く確保できるので、多数視聴用に最も適合し、比較的低費用で実用化と大型化が可能であるという利点がある。
【０００５】
無眼鏡方式は、偏光眼鏡が必要でないという利点があるが、視界角の制約が大きいので多数視聴用に実用化されることが困難という問題がある。この無眼鏡方式としてはパララックスバリヤ（Parallex Barrier）方式が代表的である。パララックスバリヤ方式は、パララックスバリヤと呼ばれる細いスリット形態の開口部の裏側に適当な間隔を置いて左目イメージと右目イメージとを交互に表示して、観察者が開口部を通じてイメージを見た時、左目イメージを左目で見て、右目イメージを右目で見ることができるようにする方式である。言い換えると、パララックスバリヤ方式は、偏光方式のような光学的技術を使用することでなく、単に左目イメージと右目イメージを壁（barrier）により分離する方式である。
【０００６】
立体映像表示装置の量産化において、解決されるべき課題のうちの１つは、表示素子と、その表示素子の上に配置されて左目イメージの光と右目イメージの光とを分離させる３Ｄフィルタを効果的に整列（align）する技術を確保することである。
【０００７】
眼鏡方式立体映像表示装置において、表示パネルと３Ｄフィルタを整列するために現在使用する方法は、作業者が表示パネルを駆動させ、偏光眼鏡をかけた状態で適正距離で表示パネルに表示される映像が正しく見えるまで視感により判断して整列動作を繰り返している。
【０００８】
（株）マスターイメージ社（master image社）は、眼鏡方式でなく、パララックスバリヤ２０と表示パネル１０を整列する方法（大韓民国特許第１０−０７０９７２８）を提案した。この方法は、図１のように表示パネル１及びパララックスバリヤ２から所定の距離だけ離れた位置に配置された２台のイメージキャプチャー素子（image  capturing devices）（ＣＡＭ１、ＣＡＭ２）で表示パネル１に表示される立体映像を撮影し、立体映像の左目映像と右目映像の区分状態を確認しながら所定整列基準状態に到達するまで表示パネル１とパララックスバリヤ２の再整列を繰り返す方法である。
【０００９】
ところが、表示パネルに表示されたイメージを作業者が視感により判断して表示パネルと３Ｄフィルタを整列する方法について、２台のイメージキャプチャー素子を用いたビジョンシステム（vision system）により獲得したイメージを通じて所定の基準以上に分離されるかを確認する方法は、表示パネルに必ず電源と整列の可否を確認できるテストパターンのデータを印加してイメージを表示しなければならない。したがって、従来の整列方法は整列程度を数値的に定量化することが困難であるだけでなく、整列システムに表示パネルを駆動するための駆動装置及び信号制御部が必要で、装備コストが上昇し、整列することにかかる時間が長くなり生産性が低い。
【発明の概要】
【発明が解決しようとする課題】
【００１０】
本発明の目的は、上記の従来技術の問題点を解決するために案出した発明であって、表示パネルを駆動していない状態で表示パネルと３Ｄフィルタの整列が可能であり、整列程度を定量化することに適合するようにした立体映像表示装置の整列システム及び方法を提供することにある。
【課題を解決するための手段】
【００１１】
上記の目的を達成するために、本発明の実施形態に係る立体映像表示装置の整列システムは、左目イメージと右目イメージを表示し、縁に表示パネル側アライメントマークが形成された表示パネルと、上記左目イメージの光を第１偏光に変換し、上記右目イメージの光を第２偏光に変換するリターダが透明基板の上に形成される多数の３Ｄフィルタと、上記３Ｄフィルタの縁で上記３Ｄフィルタの透明基板に形成されるリターダパターン、及び上記リターダパターンの上に形成される反射板を含む多数の３Ｄフィルタ側アライメントマークと、上記表示パネル側アライメントマークと上記３Ｄフィルタ側アライメントマークを撮影するビジョンシステムと、を備える。
【００１２】
本発明の実施形態に係る立体映像表示装置の整列方法は、左目イメージと右目イメージを表示する表示パネルの縁に多数の表示パネル側アライメントマークを形成するステップと、透明基板と、上記透明基板に形成されたリターダを含んで上記左目イメージの光を第１偏光に変換し、上記右目イメージの光を第２偏光に変換する多数の３Ｄフィルタの縁にリターダパターンと反射板が積層された多数の３Ｄフィルタ側アライメントマークを形成するステップと、上記表示パネル側アライメントマークと上記３Ｄフィルタ側アライメントマークの各々を撮影するステップと、を含む。
【発明の効果】
【００１３】
本発明の実施形態に係る立体映像表示装置の整列システム及び方法によると、表示パネルと３Ｄフィルタの各々にアライメントマークを形成し、ビジョンシステムによりアライメントマークを確認することで、表示パネルを駆動していない状態で表示パネルと３Ｄフィルタを整列することができ、アライメントマークの整列状態を確認して整列程度を定量化することができる。
【図面の簡単な説明】
【００１４】
【図１】従来の立体映像表示装置とパララックスバリヤを整列する方式を示す図である。
【図２】本発明の実施形態に係る立体映像表示装置を示す図である。
【図３】本発明の実施形態に係る立体映像表示装置の整列システムを示す図である。
【図４】図３に図示された立体映像表示装置の整列システムの制御部と整列駆動部を示すブロック図である。
【図５】液晶表示パネルと３Ｄフィルタにおいて、ピクセルアレイとパッド部を示す平面図である。
【図６】３Ｄフィルタ側アライメントマークの獲得原理を示す図である。
【図７】図６に図示された３Ｄパネル側アライメントマークのリターダパターンとイメージキャプチャー素子により獲得されたリターダパターンイメージを示す図である。
【図８】本発明の他の実施形態に係る３Ｄフィルタ側アライメントマークとその獲得原理を示す図である。
【図９】図６に図示された３Ｄパネル側アライメントマークのリターダパターンとイメージキャプチャー素子により獲得されたリターダパターンイメージを示す図である。
【発明を実施するための形態】
【００１５】
以下、図２乃至図９を参照しつつ本発明の好ましい実施形態を説明する。
【００１６】
図２を参照すると、本発明の実施形態に係る立体映像表示装置は、液晶表示パネル１０、偏光フィルム３４、３Ｄフィルタ１２、及び偏光眼鏡１３を備える。
【００１７】
液晶表示パネル１０は、電界放出表示素子（Field Emission Display：ＦＥＤ）、プラズマディスプレイパネル（Plasma Display Panel：ＰＤＰ）、電界発光素子（Electroluminescence Device：ＥＬ）などの異なる平板表示素子の表示パネルにも具現されることができる。
【００１８】
液晶表示パネル１０は、ＴＦＴアレイ（Thin film transistor array）が形成された下部ガラス基板、カラーフィルタアレイ（Color filter array）が形成された上部ガラス基板、及び下部ガラス基板と上部ガラス基板との間に挟まれた液晶層を備える。下部ガラス基板において、バックライトユニットと対面する背面には下部偏光フィルムが付着され、液晶層と接する面には液晶のプレチルト角を設定するための配向膜が形成される。上部ガラス基板において、３Ｄフィルタ１２と対面する前面には上部偏光フィルム３４が付着され、液晶層と接する界面には液晶のプレチルト角を設定するための配向膜が形成される。
【００１９】
液晶表示パネル１０のＴＦＴアレイにはデータ電圧が供給されるデータラインと、データラインと交差され、データ電圧に同期されるゲートパルスが順次に供給されるゲートラインが形成される。液晶表示パネル１０の下部ガラス基板と上部ガラス基板、または、下部ガラス基板には液晶層に電界を印加するための電極が形成される。この電極はＴＦＴアレイのＴＦＴに接続されてデータ電圧が印加される画素電極と、上部ガラス基板及び／または下部ガラス基板に形成されて共通電圧が供給される共通電極とを含む。共通電極は、ＴＮ（Twisted Nematic）モードとＶＡ（Vertical Alignment）モードのような垂直電界駆動方式で上部ガラス基板の上に形成され、ＩＰＳ（In Plane Switching）モードとＦＦＳ（Fringe Field Switching）モードのような水平電界駆動方式で画素電極と一緒に下部ガラス基板の上に形成される。
【００２０】
液晶表示パネル１０は、左目イメージ（Ｌ）と右目イメージ（Ｒ）がラインバイライン（Line by line）形態で交互に表示される。偏光フィルム３４は、液晶表示パネル１０の上部ガラス基板と３Ｄフィルタ１２との間で液晶表示パネル１０の上部ガラス基板と３Ｄフィルタ１２に接着される。この偏光フィルム３４は、付着される検光子（Analyzer）であって、液晶表示パネル１０の液晶層を透過して入射される光の特定方向の線偏光のみを透過させる。
【００２１】
３Ｄフィルタ１２は、透明基板の上に形成されるリターダ（retarder）を含む。リターダは、第１リターダパターンと、第２リターダパターンがラインバイライン形態で交互に配置される。リターダパターンの各々は複屈折媒質（birefringence medium）を用いて光の位相をλ（波長）／４だけ遅延させる。第１リターダパターンと第２リターダパターンの光軸は互いに直交する。したがって、第１リターダパターンは、液晶表示パネル１０で左目イメージが表示されるラインと対向するように配置されて、左目イメージの光を左円偏光（または、右円偏光）に変換する。第２リターダパターンは、液晶表示パネル１０で右目イメージが表示されるラインと対向するように配置されて、右目イメージの光を右円偏光（または、左円偏光）に変換する。
【００２２】
偏光眼鏡１３の左目には左円偏光（または、右円偏光）のみを通過させる偏光フィルムが接着され、偏光眼鏡１３の右目には右円偏光（または、左円偏光）のみを通過させる偏光フィルムが接着される。したがって、偏光眼鏡１３を着用した観察者は左目で左目イメージのみを見ることになり、右目で右目イメージのみを見ることになって、液晶表示パネル１０に表示された映像を立体映像として感じることになる。
【００２３】
液晶表示パネル１０と３Ｄフィルタ１２の整列のために、液晶表示パネル１０の下部ガラス基板にはＴＦＴアレイに適用される金属からなる多数の表示パネル側アライメントマークが形成される。そして、３Ｄフィルタにはリターダパターンと反射板が積層された多数の３Ｄフィルタ側アライメントマークが形成される。
【００２４】
図３及び図４は、本発明の実施形態に係る立体映像表示装置の整列システムを示す。図５は、アライメントマークの形状及び位置を示す図である。
【００２５】
図３乃至図５を参照すると、表示パネル側アライメントマーク３２は、液晶表示パネル１０の下部ガラス基板３１でピクセルアレイの外側のパッド部に形成される。表示パネル側アライメントマーク３２は所定の距離だけ離隔される。
【００２６】
本発明は、ＴＦＴアレイに適用可能なゲート金属またはソース／ドレイン金属、例えば、アルミニウム（Ａｌ）、アルミニウムネオジウム（ＡｌＮｄ）、モリブデン（Ｍｏ）、クロム（Ｃｒ）、銅（Ｃｕ）などの金属をパターニングして表示パネル側アライメントマーク３２を形成することができる。表示パネル側アライメントマーク３２は、図３及び図５のように十字陰刻パターンにパターニングされることができ、その以外の如何なる形態にもパターニングされることができる。
【００２７】
ピクセルアレイは、ＴＦＴアレイとカラーフィルタアレイとを含んだ液晶表示パネル１０のイメージ表示部分である。アライメントマークが形成されるパッド部にはＴＦＴアレイのゲートラインから延びたゲートリンク部の終端に連結される多数のゲートパッド部と、ＴＦＴアレイのデータラインから延びたデータリンク部の終端に連結される多数のデータパッド部を含む。ゲートパッド部は図示していないゲートドライブＩＣの出力端子に電気的に接続される。データパッドは図示していないデータドライブＩＣの出力端子に電気的に接続される。
【００２８】
３Ｄフィルタ側アライメントマークは、３Ｄフィルタ１２の透明基板３７において、液晶表示パネル１０の下部ガラス基板１０と対向する面で液晶表示パネル１０のパッド部と対向する部分に形成される。３Ｄフィルタ側アライメントマークの各々はリターダパターン３６ｂと、そのリターダパターン３６ｂに付着された反射板３８とを備える。反射板３８はリターダパターン３６ｂと重畳され、リターダパターン３６ｂのサイズより大きくなければならない。
【００２９】
反射板３８の厚みは３Ｄフィルタ１２と液晶表示パネル１０との間の接着剤の厚みより小さいものが理想的であり、液晶表示パネル１０の上部ガラス基板３３より薄くなければならない。３Ｄフィルタ側アライメントマークは所定の距離だけ離隔される。３Ｄフィルタ側アライメントマークの間の距離は表示パネル側アライメントマーク３２の間の距離と等しい。３Ｄフィルタ側アライメントマークの個数は、表示パネル側アライメントマーク３２の個数と等しい。３Ｄフィルタ側アライメントマークのリターダパターン３６ｂは、３Ｄフィルタ１２で液晶表示パネル１０のピクセルアレイと対面するイメージ表示部分のリターダ３６ａと同一な材料で形成され、また、リターダ３６ａと同時に透明基板３７の上に形成される。３Ｄフィルタ１２において、イメージ表示部分に形成されるリターダ３６ａと３Ｄフィルタ側アライメントマークのリターダパターン３６ｂは透明である。また、３Ｄフィルタ１２において、イメージ表示部分に形成されるリターダ３６ａと３Ｄフィルタ側アライメントマークのリターダパターン３６ｂは、光の位相を遅延させることができる複屈折媒質を含んで、λ／４だけの位相遅延値を有する。リターダパターン３６ｂの光軸はイメージ表示部分のリターダ３６ａの光軸と同一な光軸であるとか、そのリターダ３６ａの光軸と異なるように、例えば、直交方向や反対方向の光軸となることができる。反射板３８はリターダパターン３６ｂの各々の下に１：１で積層される。この反射板３８は、透明基板と、その透明基板の表面にコーティングされた高反射率の材料、例えば、金属を含む。
【００３０】
表示パネル側アライメントマーク３２は、図３及び図５のように十字形状にパターニングされることができ、その以外の如何なる形態にもパターニングされることができる。
【００３１】
図３において、図面符号“３０”は、液晶表示パネル１０の下部ガラス基板３１に接着される下部偏光フィルム３０である。図面符号“３３”は上部偏光フィルム３４が接着される液晶表示パネル１０の上部ガラス基板である。
【００３２】
本発明の実施形態に係る立体映像表示装置の整列システムは、アライメントマークを撮影するビジョンシステムを備える。
【００３３】
ビジョンシステムは、図３のように表示パネル側アライメントマーク３２と対向する第１及び第２イメージキャプチャー素子（ＣＡＭ＃１、ＣＡＭ＃２）、３Ｄフィルタ側アライメントマークと対向する第３及び第４イメージキャプチャー素子（ＣＡＭ＃３、ＣＡＭ＃４）、及び光源を備える。また、ビジョンシステムは、第３及び第４イメージキャプチャー素子（ＣＡＭ＃３、ＣＡＭ４）のレンズの前に配置されて線偏光を通過させる偏光フィルム３９、及びイメージキャプチャー素子（ＣＡＭ＃３、ＣＡＭ＃４）の反対側で偏光フィルム３９に付着されるリターダ４０を備える。偏光フィルム３９は、特定方向の線偏光のみ選択的に透過させる。リターダ４０は、３Ｄフィルタ１２のリターダ３６ａと同様に、複屈折媒質を含んでλ／４の位相遅延値を有する。
【００３４】
ビジョンシステムは、図３及び図４のようにイメージキャプチャー素子（ＣＡＭ＃１乃至ＣＡＭ＃４）により撮影されたアライメントマークイメージを分析するアライメントマークイメージ分析部４１を備える。アライメントマークイメージ分析部４１は、イメージキャプチャー素子（ＣＡＭ＃１乃至ＣＡＭ＃４）に接続されてイメージキャプチャー素子（ＣＡＭ＃１乃至ＣＡＭ＃４）からのイメージ信号をアナログ−ディジタル変換し、アライメントマークイメージが明らかであるようにイメージ処理する。
【００３５】
光源は、第３及び第４イメージキャプチャー素子（ＣＡＭ＃３、ＣＡＭ＃４）の下の偏光フィルム３９側に光を照射する。この光源は、イメージキャプチャー素子（ＣＡＭ＃３、ＣＡＭ＃４）、偏光フィルム３９、及びリターダ４０と共にニモジュール化されることができ、イメージキャプチャー素子（ＣＡＭ＃３、ＣＡＭ＃４）から分離されることもできる。
【００３６】
本発明の実施形態に係る立体映像表示装置の整列システムは制御システムを備える。制御システムは、制御部４２及び整列駆動部４３を含む。
【００３７】
制御部４２は、ビジョンシステムから入力されるディジタルイメージ信号から予め設定された基準点と、イメージキャプチャー素子（ＣＡＭ＃１乃至ＣＡＭ＃４）により獲得されたアライメントマークの各々のセンター点との間の誤差を計算する。そして、制御部４２は表示パネル側アライメントマークのセンター点とそれと対向する３Ｄフィルタ側アライメントマークのセンター点との間の誤差を計算する。制御部４２は、上記のように計算された誤差値を整列駆動部４３に供給する。整列駆動部４３は、液晶表示パネル１０及び／または３Ｄフィルタ１２を着脱可能に支持するステージをｘ軸とｙ軸の二軸方向に可動させるｘｙロボットと、モータやエアーシリンダのような駆動源をｘｙロボットに伝達する動力伝達機構を含む。この整列駆動部４３は、制御部４２からの誤差値がゼロ“０”になる方向に液晶表示パネル１０及び／または３Ｄフィルタ１２を稼動させる。
【００３８】
図６は、３Ｄフィルタ側アライメントマークの獲得原理を示す図である。
【００３９】
図６を参照すると、偏光フィルム３９は垂直線偏光のみを透過させる光透過軸を有する。したがって、光源がイメージキャプチャー素子（ＣＡＭ＃３、ＣＡＭ＃４）の下の偏光フィルム３９側に光を照射すると、その光は偏光フィルム３９により垂直線偏光に変換した後、偏光フィルム３９の下に配置されたリターダ４０に入射される。リターダ４０は、偏光フィルム３９からの垂直線偏光を右円偏光に変換する。リターダ４０により変換された右円偏光は、３Ｄフィルタ１２の透明基板３７を透過した後、透明基板３７の背面に付着された３Ｄフィルタ側アライメントマークのリターダパターン３６ｂにより水平線偏光に変換された後、反射板３８により反射される。反射板３８により反射された水平線偏光は、３Ｄフィルタ側アライメントマークのリターダパターン３６ｂにより左円偏光に変換された後、３Ｄフィルタ１２の透明基板３７を透過してイメージキャプチャー素子（ＣＡＭ＃３、ＣＡＭ＃４）の下に配置されたリターダ４０に入射される。リターダ４０に入射された左円偏光は、リターダ４０により垂直線偏光に変換されて偏光フィルム３９を透過してイメージキャプチャー素子（ＣＡＭ＃３、ＣＡＭ＃４）に入射される。
【００４０】
これに対して、３Ｄフィルタ側アライメントマークのリターダパターン３６ｂがない部分で反射される光は、次のようにイメージキャプチャー素子（ＣＡＭ＃３、ＣＡＭ＃４）に入射されない。光源がイメージキャプチャー素子（ＣＡＭ＃３、ＣＡＭ＃４）の下の偏光フィルム３９側に光を照射すると、その光は偏光フィルム３９により垂直線偏光に変換した後、偏光フィルム３９の下に配置されたリターダ４０に入射される。リターダ４０は、偏光フィルム３９からの垂直線偏光を右円偏光に変換する。リターダ４０により変換された右円偏光は、３Ｄフィルタ１２の透明基板３７を透過した後、反射板３８により反射されて、その偏光特性を維持する。また、反射板３８により反射された右円偏光は、再度３Ｄフィルタ１２の透明基板３７を透過した後、イメージキャプチャー素子（ＣＡＭ＃３、ＣＡＭ＃４）の下に配置されたリターダ４０に入射される。リターダ４０に入射された右円偏光は、リターダ４０により水平線偏光に変換される。リターダ４０の上に配置された偏光フィルム３９は、垂直線偏光のみを透過させる光透過軸を有する。したがって、３Ｄフィルタ側アライメントマークのリターダパターン３６ｂがない部分で反射されて偏光フィルム３９に入射される水平線偏光は、偏光フィルム３９により遮断される。
【００４１】
第３及び第４イメージキャプチャー素子（ＣＡＭ＃３、ＣＡＭ＃４）は、図７のようにリターダパターン３６ｂがある部分のみで光が入射されるので、リターダパターン３６ｂのような形態でホワイト階調のデータに変換し、その他の残りの部分のイメージをブラック階調のデータに変換する。
【００４２】
本発明の他の実施形態に係る立体映像表示装置の整列システムは、図８及び図９のように光軸方向が互いに異なるパターンを組合せて３Ｄフィルタ側アライメントマークのリターダパターンを具現することもできる。
【００４３】
図８及び図９を参照すると、３Ｄフィルタ軸アライメントマークは、λ／４の位相遅延値を有し、３Ｄフィルタ１２のリターダ３６ａと同時に透明基板３７の上に形成される第１リターダパターン３６ｂを備える。また、３Ｄフィルタ軸アライメントマークは、λ／４の位相遅延値を有し、第１リターダパターン３６ｂの光軸と直交する光軸を有する第２リターダパターン３６ｃを備える。光源の波長を長く制御すれば、リターダを通過しながら楕円偏光が発生されることができる。
【００４４】
楕円偏光を用いた３Ｄフィルタ側アライメントマークの獲得方法を説明すると、次の通りである。光源がイメージキャプチャー素子（ＣＡＭ＃３、ＣＡＭ＃４）の下の偏光フィルム３９側に光を照射すると、その光は偏光フィルム３９により垂直線偏光に変換した後、偏光フィルム３９の下に配置されたリターダ４０に入射される。リターダ４０は、偏光フィルム３９からの垂直線偏光を右楕円偏光に変換する。リターダ４０により変換された右楕円偏光は、３Ｄフィルタ１２の透明基板３７を透過した後、透明基板３７の背面に付着された３Ｄフィルタ側アライメントマークの第１リターダパターン３６ｂにより垂直線偏光に変換された後、反射板３８により反射される。反射板３８により反射された垂直線偏光は、第１リターダパターン３６ｂにより左楕円偏光に変換された後、３Ｄフィルタ１２の透明基板３７を透過してイメージキャプチャー素子（ＣＡＭ＃３、ＣＡＭ＃４）の下に配置されたリターダ４０に入射される。リターダ４０に入射された左楕円偏光はリターダ４０により垂直線偏光に変換されて偏光フィルム３９を透過してイメージキャプチャー素子（ＣＡＭ＃３、ＣＡＭ＃４）に入射される。
【００４５】
３Ｄフィルタ側アライメントマークの第２リターダパターン３６ｃを通過する光は、次のようにイメージキャプチャー素子（ＣＡＭ＃３、ＣＡＭ＃４）に入射されない。光源がイメージキャプチャー素子（ＣＡＭ＃３、ＣＡＭ＃４）の下の偏光フィルム３９側に光を照射すると、その光は偏光フィルム３９により垂直線偏光に変換した後、偏光フィルム３９の下に配置されたリターダ４０に入射される。リターダ４０は、偏光フィルム３９からの垂直線偏光を右楕円偏光に変換する。リターダ４０により変換された右楕円偏光は、３Ｄフィルタ１２の透明基板３７を透過した後、第２リターダパターン３６ｃにより垂直線偏光に変換された後、反射板３８により反射される。反射板３８により反射された垂直線偏光は、第２リターダパターン３６ｃを再度通過しながら左楕円偏光に変換された後、３Ｄフィルタの透明基板３７を透過してイメージキャプチャー素子（ＣＡＭ＃３、ＣＡＭ＃４）の下に配置されたリターダ４０に入射される。リターダ４０に入射された左楕円偏光は、リターダ４０により水平線偏光に変換される。リターダ４０の上に配置された偏光フィルム３９は、垂直線偏光のみを透過させる光軸を有する。したがって、３Ｄフィルタ側アライメントマークの第２リターダパターン３６ｃを通過して偏光フィルム３９に入射された光はその偏光フィルム３９を通過できない。
【００４６】
第３及び第４イメージキャプチャー素子（ＣＡＭ＃３、ＣＡＭ＃４）は、図８のように第１リターダパターン３６ｂがある部分のみで光が入射されるので、図９のように第１リターダパターン３６ｂのような形態でホワイト階調のデータに変換し、第２リターダパターン３６ｃをブラック階調のデータに変換する。
【００４７】
以上、説明した内容を通じて当業者であれば、本発明の技術思想を逸脱しない範囲で多様な変更及び修正が可能であることが分かる。したがって、本発明の技術的範囲は明細書の詳細な説明に記載された内容に限定されず、特許請求範囲により定まるべきである。
【図１】
0005052566.tif 000002
【図２】
0005052566.tif 000003
【図３】
0005052566.tif 000004
【図４】
0005052566.tif 000005
【図５】
0005052566.tif 000006
【図６】
0005052566.tif 000007
【図７】
0005052566.tif 000008
【図８】
0005052566.tif 000009
【図９】
0005052566.tif 000010